(57)【要約】      （修正有）【課題】上板と下板との位置ズレを抑制し、上板と下板とを適切に接着できる便座を提供する。【解決手段】下板１００と、下板の上に設けられた上板２００と、下板と上板とを接着する接着部と、を備え、上板は、下板と対向する内表面２２０を有し、内表面は、上板の周縁に沿って延びる平面状の上側位置決め面２２６を有し、下板は、内表面と対向する上面１３０を有し、上面は、下板の周縁に沿って延び、上側位置決め面と略平行な平面状の下側位置決め面を有し、上側位置決め面及び下側位置決め面の一方は、上側位置決め面及び下側位置決め面の他方に向かって突出し、上側位置決め面及び下側位置決め面の他方に当接することにより、上側位置決め面と下側位置決め面との間の距離を決める突出部１４０を有し、接着部は、上側位置決め面と下側位置決め面との間に設けられる。【選択図】図４
2020054690.tif 000002
【特許請求の範囲】
【請求項１】
下板と、
前記下板の上に設けられた上板と、
前記下板と前記上板とを接着する接着部と、
を備え、
前記上板は、前記下板と対向する内表面を有し、
前記内表面は、前記上板の周縁に沿って延びる平面状の上側位置決め面を有し、
前記下板は、前記内表面と対向する上面を有し、
前記上面は、前記下板の周縁に沿って延び、前記上側位置決め面と略平行な平面状の下側位置決め面を有し、
前記上側位置決め面及び前記下側位置決め面の一方は、前記上側位置決め面及び前記下側位置決め面の他方に向かって突出し、前記上側位置決め面及び前記下側位置決め面の他方に当接することにより、前記上側位置決め面と前記下側位置決め面との間の距離を決める突出部を有し、
前記接着部は、前記上側位置決め面と前記下側位置決め面との間に設けられることを特徴とする便座。
【請求項２】
前記突出部の先端は、凸状に湾曲していることを特徴とする請求項１記載の便座。
【請求項３】
前記上側位置決め面及び前記下側位置決め面の一方は、複数の前記突出部を有し、
複数の前記突出部は、半球状であることを特徴とする請求項１又は２に記載の便座。
【発明の詳細な説明】
【技術分野】
【０００１】
本発明の態様は、一般的に、便座に関する。
【背景技術】
【０００２】
上板と下板とを組み合わせて接着することにより、中空形状の便座を形成することが行われている（例えば、特許文献１）。このような便座では、上板と下板とを組み合わせて接着する際に、上板に対して下板が傾いてしまうなど、上板と下板とが位置ズレを起こしてしまう可能性がある。また、例えば、上板と下板との位置ズレによって接着部の厚さなどが変化してしまうと、接着部の接着性にも影響を与えてしまう。例えば、接着部の厚さが薄くなった場合には、接着部の接着性が低下してしまう。
【０００３】
このため、上板と下板とを接着して形成する便座では、上板と下板との位置ズレを抑制し、上板と下板とを適切に接着できるようにすることが望まれる。
【先行技術文献】
【特許文献】
【０００４】
【特許文献１】特開２０１３−１４１５６２号公報
【発明の概要】
【発明が解決しようとする課題】
【０００５】
本発明は、かかる課題の認識に基づいてなされたものであり、上板と下板との位置ズレを抑制し、上板と下板とを適切に接着できる便座を提供することを目的とする。
【課題を解決するための手段】
【０００６】
第１の発明は、下板と、前記下板の上に設けられた上板と、前記下板と前記上板とを接着する接着部と、を備え、前記上板は、前記下板と対向する内表面を有し、前記内表面は、前記上板の周縁に沿って延びる平面状の上側位置決め面を有し、前記下板は、前記内表面と対向する上面を有し、前記上面は、前記下板の周縁に沿って延び、前記上側位置決め面と略平行な平面状の下側位置決め面を有し、前記上側位置決め面及び前記下側位置決め面の一方は、前記上側位置決め面及び前記下側位置決め面の他方に向かって突出し、前記上側位置決め面及び前記下側位置決め面の他方に当接することにより、前記上側位置決め面と前記下側位置決め面との間の距離を決める突出部を有し、前記接着部は、前記上側位置決め面と前記下側位置決め面との間に設けられることを特徴とする便座である。
【０００７】
この便座によれば、上板の周縁に沿って延びる平面状の上側位置決め面を設け、下板の周縁に沿って延び、上側位置決め面と略平行な平面状の下側位置決め面を設けるとともに、上側位置決め面及び下側位置決め面の一方に、上側位置決め面及び下側位置決め面の他方に向かって突出し、上側位置決め面及び下側位置決め面の他方に当接することにより、上側位置決め面と下側位置決め面との間の距離を決める突出部を設けている。これにより、上板と下板とを組み合わせて接着する際に、上板と下板とに位置ズレが生じてしまうことを抑制することができる。さらに、突出部が、上側位置決め面と下側位置決め面との間の距離を決めることにより、上板と下板との位置ズレによって接着部の厚さなどが変化してしまうことを抑制することができる。従って、上板と下板との位置ズレを抑制し、上板と下板とを適切に接着できる便座を提供することができる。
【０００８】
第２の発明は、第１の発明において、前記突出部の先端は、凸状に湾曲していることを特徴とする便座である。
【０００９】
この便座によれば、突出部の先端を凸状に湾曲させることにより、上側位置決め面及び下側位置決め面の他方と突出部の先端との間にも接着部を入り込ませることができ、上板と下板との位置ズレを抑制しつつ、上板と下板とをより適切に接着することができる。
【００１０】
第３の発明は、第１又は第２の発明において、前記上側位置決め面及び前記下側位置決め面の一方は、複数の前記突出部を有し、複数の前記突出部は、半球状であることを特徴とする便座である。
【００１１】
この便座によれば、半球状の複数の突出部を設けることにより、上板と下板との位置ズレを抑制しつつ、上板と下板とをより適切に接着することができる。
【発明の効果】
【００１２】
本発明の態様によれば、上板と下板との位置ズレを抑制し、上板と下板とを適切に接着できる便座が提供される。
【図面の簡単な説明】
【００１３】
【図１】実施形態に係る便座を備えたトイレ装置を模式的に表す斜視図である。
【図２】実施形態に係る便座を模式的に表す分解斜視図である。
【図３】実施形態に係る便座の一部を模式的に表す断面図である。
【図４】実施形態に係る便座の一部を模式的に表す拡大断面図である。
【図５】実施形態に係る便座の一部を模式的に表す拡大断面図である。
【図６】実施形態に係る便座を模式的に表す平面図である。
【図７】実施形態に係る便座の変形例を模式的に表す拡大断面図である。
【図８】実施形態に係る便座の変形例を模式的に表す平面図である。
【発明を実施するための形態】
【００１４】
以下、実施形態について図面を参照しつつ説明する。なお、各図面中、同様の構成要素には同一の符号を付して詳細な説明は適宜省略する。  
図１は、実施形態に係る便座を備えたトイレ装置を模式的に表す斜視図である。  
図１に表したように、トイレ装置２は、便座装置４と、洋式腰掛便器（以下、単に「便器」という）６と、を備える。
【００１５】
便座装置４は、便器６の上に取り付けられる。便座装置４は、便器６に対して一体的に取り付けてもよいし、便器６に対して着脱可能に取り付けてもよい。便座装置４は、便座１０と、便蓋１２と、本体部１４と、を有する。
【００１６】
ここで、本願明細書においては、便座１０に座った使用者からみて上方を「上方」とし、便座１０に座った使用者からみて下方を「下方」とする。また、開いた状態の便蓋１２に背を向けて便座１０に座った使用者からみて左右方向を、それぞれ「左側方」及び「右側方」とし、前後方向を、それぞれ「前方」及び「後方」とする。図１には、上方ＵＷ、下方ＤＷ、左側方ＬＷ、右側方ＲＷ、前方ＦＷ、及び後方ＢＷの一例が表されている。
【００１７】
便器６は、下方に向けて窪んだボウル部６ａを有する。便器６は、ボウル部６ａにおいて使用者の尿や便などの排泄物を受ける。便座装置４の本体部１４は、便器６のボウル部６ａよりも後方の上部に設けられる。本体部１４は、便座１０及び便蓋１２を開閉可能に軸支している。
【００１８】
便座１０は、開口部１０ａを有する。便座１０は、ボウル部６ａの外縁を囲むように便器６の上に設けられ、開口部１０ａを介してボウル部６ａが露呈される。これにより、使用者は、便座１０に座った状態でボウル部６ａに排泄を行うことができる。この例では、貫通孔状の開口部１０ａが形成された、いわゆるＯ型の便座１０を示している。便座１０は、Ｏ型に限ることなく、Ｕ字型などでもよい。便座１０の内部には、着座部（使用者の臀部が接する部分）を温めるヒータ等が適宜設けられる。
【００１９】
図２は、実施形態に係る便座を模式的に表す分解斜視図である。  
図２に表したように、便座１０は、下板１００と、上板２００と、を備える。上板２００は、下板１００の上に設けられる。なお、ここでは、「上方」や「下方」などの方向は、便座１０の下板１００が水平面上に載置された状態（便器６の上に載置され、使用者が着座可能な状態）を基準にしている。
【００２０】
図２に表したように、下板１００及び上板２００は、それぞれ、開口部１００ａ及び開口部２００ａを有する。下板１００及び上板２００を上方から見た形状は、便座１０を上方から見た形状と実質的に同じである。すなわち、下板１００及び上板２００を上方から見た形状は、環状又はＵ字状である。下板１００の開口部１００ａ及び上板２００の開口部２００ａによって、便座１０の開口部１０ａが形成される。
【００２１】
図３は、実施形態に係る便座の一部を模式的に表す断面図である。  
図３は、図１のＡ１−Ａ２線断面を模式的に表す。  
図３に表したように、便座１０は、下板１００と上板２００とを接着する接着部３００、３２０をさらに備える。
【００２２】
接着部３００は、下板１００及び上板２００の内周側を接着する。接着部３２０は、下板１００及び上板２００の外周側を接着する。ここで、「内周側」とは、開口部１０ａ、１００ａ、２００ａに向かう側であり、「外周側」とは、開口部１０ａ、１００ａ、２００ａに向かう側と反対の側である。
【００２３】
接着部３００は、例えば、下板１００及び上板２００の内周側を略全周に亘って環状に接着する。接着部３２０は、例えば、下板１００及び上板２００の外周側を略全周に亘って環状に接着する。これにより、下板１００と上板２００との間に隙間が生じることを抑制し、下板１００と上板２００とを適切に接着することができる。
【００２４】
なお、便座１０の便座装置４に軸支されるヒンジ部分の構造は、使用者が着座する便座１０の本体部分の構造と異なってもよい。例えば、外周側の接着部３２０は、ヒンジ部分には設けられていなくてもよい。
【００２５】
下板１００は、例えば、平板状である。上板２００は、例えば、上凸状に湾曲した板状である。上板２００は、換言すれば、下方に開口する断面略Ｕ字状の板状である。下板１００及び上板２００は、接着部３００、３２０によって互いに接着されることにより、中空状の便座１０を形成する。
【００２６】
上板２００は、下板１００よりも一回り大きく形成されている。上板２００の内周側の端部は、下板１００の内周側の端部よりも内周側に位置する。上板２００の外周側の端部は、下板１００の外周側の端部よりも外周側に位置する。
【００２７】
接着部３００は、下板１００の内周側の端部と上板２００の内周側の端部との間に設けられる。接着部３００は、例えば、下方のみに露出し、上方及び内周側には露出しない。これにより、便座１０の意匠性を高めることができる。また、接着部３００（下板１００と上板２００との合わせ目）が便座１０に着座した使用者の臀部や脚部などに接触してしまうことを抑制し、便座１０の座り心地を高めることもできる。
【００２８】
接着部３２０は、下板１００の外周側の端部と上板２００の外周側の端部との間に設けられる。接着部３２０は、例えば、下方のみに露出し、上方及び外周側には露出しない。これにより、便座１０の意匠性をさらに高めることができる。
【００２９】
図４は、実施形態に係る便座の一部を模式的に表す拡大断面図である。  
図４は、図３の囲み線Ｂの部分を拡大して模式的に表す。すなわち、図４は、便座１０の断面の内周側の部分を拡大して模式的に表している。
【００３０】
図４に表したように、上板２００は、外表面２１０と、内表面２２０と、を有する。外表面２１０は、内周側に向かうに従って下方に下がるように上凸状に湾曲した湾曲部２１２を有する。内表面２２０は、下板１００と対向する。
【００３１】
また、上板２００は、例えば、底面２３０をさらに有する。底面２３０は、外表面２１０の下端と内表面２２０の下端とを接続する。底面２３０は、換言すれば、上板２００の下端である。底面２３０は、例えば、略水平面である。
【００３２】
下板１００は、側端面１１０と、底面１２０と、上面１３０と、を有する。上面１３０は、上板２００の内表面２２０と対向する。側端面１１０は、内周側を向く面である。また、側端面１１０は、例えば、下板１００の開口部１００ａを形成する部分である。側端面１１０は、例えば、略鉛直方向に延びる。但し、側端面１１０は、鉛直方向に対して傾斜していてもよい。側端面１１０は、少なくとも鉛直方向（上下方向）に延び、内周側を向く部分を有していればよい。
【００３３】
側端面１１０の下端は、例えば、底面１２０と連続する。換言すれば、側端面１１０の下端の上下方向の位置は、底面１２０の上下方向の位置と略同一である。なお、便座１０の下側を向く面（便器６と対向する面）には、便器６の上面（リム面）に当接する複数の脚部（クッション部）が設けられる場合がある（例えば図２参照）。底面１２０の上下方向の位置とは、このような脚部を除いた部分における上下方向の位置である。
【００３４】
上板２００の底面２３０は、例えば、下板１００の底面１２０と略面一である。このように、上板２００の下端の上下方向の位置は、下板１００の側端面１１０の下端の上下方向の位置と同程度に設定される。上板２００の底面２３０の上下方向の位置は、下板１００の底面１２０の上下方向の位置と略同一又は下板１００の底面１２０よりも上方に設定される。
【００３５】
また、この例において、湾曲部２１２の下端２１２ａの上下方向の位置は、上板２００の下端の上下方向の位置と略同一である。換言すれば、この例において、外表面２１０の下端は、湾曲部２１２の下端２１２ａである。
【００３６】
但し、外表面２１０の下端は、必ずしも湾曲部２１２の下端２１２ａでなくてもよい。外表面２１０は、例えば、湾曲部２１２の下端２１２ａから鉛直下方に延びる部分をさらに有していてもよい。
【００３７】
上板２００の内表面２２０の内周側の端部２２２は、下板１００の側端面１１０よりも内周側に位置するとともに、下板１００の側端面１１０の少なくとも一部よりも下方に位置する。
【００３８】
上板２００の内表面２２０は、外周側を向き、下板１００の側端面１１０と対向する対向部２２４を有する。対向部２２４は、端部２２２を上記のように配置することよって、内表面２２０に設けられる。
【００３９】
内周側の接着部３００は、下板１００の側端面１１０と上板２００の内表面２２０の対向部２２４との間に設けられる。これにより、接着部３００は、上板２００によって上方を覆われるとともに、側端面１１０及び対向部２２４によって側方を覆われ、下方のみに露出する。接着部３００は、側端面１１０と対向部２２４とによって、下板１００及び上板２００の内周側を接着する。
【００４０】
上板２００の内表面２２０は、上板２００の内周縁に沿って延びる平面状の上側位置決め面２２６を有する。上側位置決め面２２６は、１つの平面と略平行な面である。上側位置決め面２２６は、例えば、水平面状である。従って、上側位置決め面２２６が水平となるように上板２００を載置した場合、上側位置決め面２２６の高さは、実質的に一定である。上側位置決め面２２６の一部は、開口部２００ａを挟んで反対側の上側位置決め面２２６の別の一部と略面一である。ここで、略平行とは、例えば、互いに向き合う２つの面の間の距離の差が、２つの面の全体に亘って２ｍｍ以下の状態である。また、略面一とは、例えば、２つの面の高さの差が、２ｍｍ以下の状態である。
【００４１】
上側位置決め面２２６は、例えば、上板２００の内周縁に沿って環状に延びる。上側位置決め面２２６は、例えば、上板２００の内周縁の全周に亘って設けられる。但し、上側位置決め面２２６は、必ずしも全周に設ける必要は無く、内周縁に沿う周方向の一部に途切れた部分を有していてもよい。内表面２２０は、例えば、内周縁に沿って並ぶ複数の上側位置決め面２２６を有してもよい。この場合、複数の上側位置決め面２２６は、同一平面上に並ぶ。換言すれば、複数の上側位置決め面２２６は、略面一である。なお、複数の上側位置決め面２２６において、複数の上側位置決め面２２６の内の一部が略面一で、一部とは異なる別の一部同士が略面一であるような構成であってもよい。換言すれば、複数の上側位置決め面２２６は、第１群と第２群とを有してもよい。第１群に含まれる複数の上側位置決め面２２６は、互いに略面一である。第２群に含まれる複数の上側位置決め面２２６は、第１群の複数の上側位置決め面２２６とは異なる高さに設定され、かつ互いに略面一である。また、複数の上側位置決め面２２６は、高さの異なる２つ以上の群を有してもよい。
【００４２】
下板１００の上面１３０は、下板１００の内周縁に沿って延び、上側位置決め面２２６と略平行な平面状の下側位置決め面１３２を有する。下側位置決め面１３２は、例えば、水平面状である。下側位置決め面１３２は、例えば、下板１００の内周縁に沿って環状に延びる。下側位置決め面１３２は、例えば、下板１００の内周縁の全周に亘って設けられる。但し、下側位置決め面１３２は、上側位置決め面２２６と同様に、内周縁に沿う周方向の一部に途切れた部分を有してもよい。上面１３０は、例えば、内表面２２０と同様に、内周縁に沿って並ぶ複数の下側位置決め面１３２を有してもよい。
【００４３】
下側位置決め面１３２は、上側位置決め面２２６に向かって突出し、上側位置決め面２２６に当接することにより、上側位置決め面２２６と下側位置決め面１３２との間の距離を決める突出部１４０を有する。
【００４４】
接着部３００は、上側位置決め面２２６と下側位置決め面１３２との間にも設けられている。接着部３００は、上側位置決め面２２６と下側位置決め面１３２とにおいても下板１００と上板２００とを接着する。
【００４５】
接着部３００は、例えば、第１部分３０１と、第２部分３０２と、を有する。第１部分３０１は、側端面１１０と対向部２２４との間に設けられた部分である。第２部分３０２は、上側位置決め面２２６と下側位置決め面１３２との間に設けられた部分である。第２部分３０２は、図示のように第１部分３０１に接していてもよいし、第１部分３０１から外周側に離間していてもよい。
【００４６】
第２部分３０２の材料は、例えば、第１部分３０１の材料と異なる。第１部分３０１には、例えば、エポキシ樹脂などの接着剤が用いられる。第２部分３０２には、例えば、合成ゴムなどのホットメルト系粘着剤が用いられる。但し、第２部分３０２の材料は、第１部分３０１の材料と同じでもよい。
【００４７】
下板１００及び上板２００には、例えば、ユリア樹脂やメラミン樹脂などの熱硬化性樹脂が用いられる。下板１００及び上板２００には、例えば、ポリプロピレンなどの熱可塑性樹脂を用いてもよい。また、接着部３００の材料は、接着や粘着によって接着するものに限ることなく、例えば、溶着によって下板１００と上板２００とを接着するものでもよい。この場合、例えば、接着部３００に下板１００及び上板２００と同種の樹脂材料などを用いてもよい。
【００４８】
図５は、実施形態に係る便座の一部を模式的に表す拡大断面図である。  
図５は、図３の囲み線Ｃの部分を拡大して模式的に表す。すなわち、図５は、便座１０の断面の外周側の部分を拡大して模式的に表している。
【００４９】
図５に表したように、上板２００は、例えば、外表面２１０の外周側の下端と内表面２２０の外周側の下端とを接続する底面２３２をさらに有する。底面２３２は、換言すれば、上板２００の外周側の下端である。底面２３２は、例えば、略水平面である。
【００５０】
下板１００は、側端面１１２をさらに有する。側端面１１２は、外周側を向く面である。側端面１１２は、例えば、略鉛直方向に延びる。但し、側端面１１２は、鉛直方向に対して傾斜していてもよい。側端面１１２は、少なくとも鉛直方向（上下方向）に延び、外周側を向く部分を有していればよい。
【００５１】
側端面１１２の下端は、例えば、底面１２０と連続する。換言すれば、側端面１１２の下端の上下方向の位置は、底面１２０の上下方向の位置と略同一である。
【００５２】
上板２００の底面２３２は、例えば、下板１００の底面１２０と略面一である。このように、上板２００の外周側の下端の上下方向の位置も、下板１００の側端面１１２の下端の上下方向の位置と同程度に設定される。上板２００の底面２３２の上下方向の位置は、下板１００の底面１２０の上下方向の位置と略同一又は下板１００の底面１２０よりも上方に設定される。
【００５３】
上板２００の内表面２２０外周側の端部２４０は、下板１００の側端面１１２よりも外周側に位置するとともに、下板１００の側端面１１２の少なくとも一部よりも下方に位置する。
【００５４】
上板２００の内表面２２０は、内周側を向き、下板１００の側端面１１２と対向する対向部２４２を有する。対向部２４２は、端部２４０を上記のように配置することよって、内表面２２０に設けられる。
【００５５】
外周側の接着部３２０は、下板１００の側端面１１２と上板２００の内表面２２０の対向部２４２との間に設けられる。これにより、接着部３２０は、上板２００によって上方を覆われるとともに、側端面１１２及び対向部２４２によって側方を覆われ、下方のみに露出する。接着部３２０は、側端面１１２と対向部２４２とによって、下板１００及び上板２００の外周側を接着する。
【００５６】
上板２００の内表面２２０は、上板２００の外周縁に沿って延びる平面状の上側位置決め面２４４を有する。上側位置決め面２４４は、１つの平面と略平行な面である。上側位置決め面２４４は、例えば、水平面状である。外周側の上側位置決め面２４４は、例えば、内周側の上側位置決め面２２６と略平行である。また、外周側の上側位置決め面２４４は、例えば、内周側の上側位置決め面２２６と略面一である。なお、外周側の上側位置決め面２４４は、必ずしも内周側の上側位置決め面２２６と面一でなくてもよい。例えば、便座１０の内周においてヒータの熱を伝導する金属箔の接着範囲が広くなるように考慮し、内周側の上側位置決め面２２６が、外周側の上側位置決め面２４４よりも、上下方向において低い位置に構成されているのが好ましい。また、接着剤の接着範囲を考慮し、外周側の上側位置決め面２４４が、内周側の上側位置決め面２２６よりも、上下方向において高い位置に構成されているのが好ましい。
【００５７】
上側位置決め面２４４は、例えば、上板２００の外周縁に沿って環状に延びる。上側位置決め面２４４は、例えば、上板２００の外周縁の全周に亘って設けられる。但し、上側位置決め面２４４は、必ずしも全周に設ける必要は無く、外周縁に沿う周方向の一部に途切れた部分を有していてもよい。内表面２２０は、例えば、外周縁に沿って並ぶ複数の上側位置決め面２４４を有してもよい。この場合、複数の上側位置決め面２４４は、同一平面上に並ぶ。換言すれば、複数の上側位置決め面２４４は、略面一である。なお、内周側の上側位置決め面２２６と同様に、複数の上側位置決め面２４４において、複数の上側位置決め面２４４の内の一部が略面一で、一部とは異なる別の一部同士が略面一であるような構成であってもよい。
【００５８】
下板１００の上面１３０は、下板１００の外周縁に沿って延び、上側位置決め面２４４と略平行な平面状の下側位置決め面１３４を有する。下側位置決め面１３４は、例えば、水平面状である。外周側の下側位置決め面１３４は、例えば、内周側の下側位置決め面１３２と略平行である。また、外周側の下側位置決め面１３４は、例えば、内周側の下側位置決め面１３２と略面一である。なお、外周側の下側位置決め面１３４は、必ずしも内周側の下側位置決め面１３２と略面一でなくてもよい。例えば、便座１０の内周においてヒータの熱を伝導する金属箔の接着範囲が広くなるように考慮し、内周側の下側位置決め面１３２が、外周側の下側位置決め面１３４よりも、上下方向において低い位置に構成されているのが好ましい。また、接着剤の接着範囲を考慮し、外周側の下側位置決め面１３４が、内周側の下側位置決め面１３２よりも、上下方向において高い位置に構成されているのが好ましい。
【００５９】
下側位置決め面１３４は、例えば、下板１００の外周縁に沿って環状に延びる。下側位置決め面１３４は、例えば、下板１００の外周縁の全周に亘って設けられる。但し、下側位置決め面１３４は、上側位置決め面２４４と同様に、外周縁に沿う周方向の一部に途切れた部分を有してもよい。上面１３０は、例えば、内表面２２０と同様に、外周縁に沿って並ぶ複数の下側位置決め面１３４を有してもよい。
【００６０】
下側位置決め面１３４は、上側位置決め面２４４に向かって突出し、上側位置決め面２４４に当接することにより、上側位置決め面２４４と下側位置決め面１３４との間の距離を決める突出部１４２を有する。
【００６１】
外周側の突出部１４２の下側位置決め面１３４からの突出量は、例えば、内周側の突出部１４０の下側位置決め面１３２からの突出量と実質的に同じである。但し、外周側の突出部１４２の突出量は、内周側の突出部１４０の突出量と異なってもよい。外周側の突出部１４２の突出量は、例えば、内周側の突出部１４０が内周側の上側位置決め面２２６に当接した状態において、外周側の上側位置決め面２４４に当接するように設定されていればよい。
【００６２】
接着部３２０は、上側位置決め面２４４と下側位置決め面１３４との間にも設けられている。接着部３２０は、上側位置決め面２４４と下側位置決め面１３４とにおいても下板１００と上板２００とを接着する。
【００６３】
接着部３２０は、例えば、第３部分３２３と、第４部分３２４と、を有する。第３部分３２３は、側端面１１２と対向部２４２との間に設けられた部分である。第４部分３２４は、上側位置決め面２４４と下側位置決め面１３４との間に設けられた部分である。第４部分３２４は、図示のように第３部分３２３に接していてもよいし、第３部分３２３から内周側に離間していてもよい。
【００６４】
第４部分３２４の材料は、例えば、第３部分３２３の材料と異なる。第３部分３２３には、例えば、内周側の接着部３００の第１部分３０１と実質的に同じ材料が用いられる。第４部分３２４には、例えば、内周側の接着部３００の第２部分３０２と実質的に同じ材料が用いられる。
【００６５】
図６は、実施形態に係る便座を模式的に表す平面図である。  
図６に表したように、内周側の突出部１４０は、例えば、下板１００の内周縁に沿って環状に延びる。換言すれば、突出部１４０は、下側位置決め面１３２及び上側位置決め面２２６に沿って環状に延びる。突出部１４０は、例えば、下板１００の内周縁の全周に亘って設けられる。
【００６６】
また、図４に表したように、突出部１４０の先端１４０ａは、凸状に湾曲している。換言すれば、突出部１４０の断面形状は、凸曲面状である。突出部１４０は、例えば、下板１００の内周縁に沿って延びる円筒面状の部材である。
【００６７】
外周側の突出部１４２は、例えば、下板１００の外周縁に沿って環状に延びる。換言すれば、突出部１４２は、下側位置決め面１３４及び上側位置決め面２４４に沿って環状に延びる。突出部１４２は、例えば、下板１００の外周縁の全周に亘って設けられる。
【００６８】
また、図５に表したように、突出部１４２の先端１４２ａは、凸状に湾曲している。換言すれば、突出部１４２の断面形状は、凸曲面状である。突出部１４２は、例えば、下板１００の外周縁に沿って延びる円筒面状の部材である。
【００６９】
便座１０の製造においては、例えば、上板２００の上側位置決め面２２６に粘着剤の第２部分３０２を塗布するとともに、上側位置決め面２４４に粘着剤の第４部分３２４を塗布し、上板２００に下板１００を接着する。これにより、下板１００と上板２００とを第２部分３０２及び第４部分３２４によって仮止めする。
【００７０】
また、この際、内周側の突出部１４０を内周側の上側位置決め面２２６に当接させるとともに、外周側の突出部１４２を外周側の上側位置決め面２４４に当接させることにより、下板１００と上板２００とを位置決めする。
【００７１】
この後、側端面１１０と対向部２２４との間に接着剤である第１部分３０１を充填するとともに、側端面１１２と対向部２４２との間に接着剤である第３部分３２３を充填することにより、下板１００と上板２００とを本固定する。
【００７２】
これにより、例えば、ユリア樹脂やメラミン樹脂などの熱硬化性樹脂を下板１００及び上板２００に用いた場合にも、下板１００と上板２００とを確実且つ効率的に接着することができ、便座１０の製造性を向上させることができる。
【００７３】
以上、説明したように、本実施形態に係る便座１０では、上板２００の周縁に沿って延びる平面状の上側位置決め面２２６、２４４を設け、下板１００の周縁に沿って延び、上側位置決め面２２６、２４４と略平行な平面状の下側位置決め面１３２、１３４を設けるとともに、上側位置決め面２２６、２４４に向かって突出し、上側位置決め面２２６、２４４に当接することにより、上側位置決め面２２６、２４４と下側位置決め面１３２、１３４との間の距離を決める突出部１４０、１４２を下側位置決め面１３２、１３４に設けている。これにより、上板２００と下板１００とを組み合わせて接着する際に、上板２００と下板１００とに位置ズレが生じてしまうことを抑制することができる。さらに、突出部１４０、１４２が、上側位置決め面２２６、２４４と下側位置決め面１３２、１３４との間の距離を決めることにより、上板２００と下板１００との位置ズレによって接着部３００、３２０の厚さなどが変化してしまうことを抑制することができる。従って、上板２００と下板１００との位置ズレを抑制し、上板２００と下板１００とを適切に接着できる便座１０を提供することができる。
【００７４】
また、便座１０では、突出部１４０、１４２の先端１４０ａ、１４２ａを凸状に湾曲させることにより、上側位置決め面２２６、２４４と突出部１４０、１４２の先端１４０ａ、１４２ａとの間にも接着部３００、３２０を入り込ませることができ、上板２００と下板１００との位置ズレを抑制しつつ、上板２００と下板１００とをより適切に接着することができる。
【００７５】
なお、上記実施形態では、便座１０の内周側に下側位置決め面１３２と上側位置決め面２２６と突出部１４０とを設けるとともに、便座１０の外周側に下側位置決め面１３４と上側位置決め面２４４と突出部１４２とを設けている。下側位置決め面、上側位置決め面、及び突出部は、必ずしも内周側及び外周側の双方に設ける必要は無く、少なくとも一方に設けられていればよい。下側位置決め面、上側位置決め面、及び突出部は、少なくとも便座１０の内周縁又は外周縁のどちらかの周縁に沿う構成であればよい。
【００７６】
図７は、実施形態に係る便座の変形例を模式的に表す拡大断面図である。  
図７の断面は、図４と同様に、便座１０の断面の内周側の部分を拡大して模式的に表している。なお、上記実施形態と機能・構成上実質的に同じものについては、同符号を付し、詳細な説明は省略する。
【００７７】
図７に表したように、この例では、突出部１４４が、上側位置決め面２２６に設けられている。突出部１４４は、下側位置決め面１３２に向かって突出し、下側位置決め面１３２に当接することにより、上側位置決め面２２６と下側位置決め面１３２との間の距離を決める。
【００７８】
このように、突出部は、上側位置決め面２２６に設けてもよいし、下側位置決め面１３２に設けてもよい。すなわち、上側位置決め面２２６及び下側位置決め面１３２の一方が、上側位置決め面２２６及び下側位置決め面１３２の他方に向かって突出し、上側位置決め面２２６及び下側位置決め面１３２の他方に当接することにより、上側位置決め面２２６と下側位置決め面１３２との間の距離を決める突出部を有していればよい。
【００７９】
例えば、上記のように、上側位置決め面２２６に粘着剤の第２部分３０２を塗布する場合には、下側位置決め面１３２に突出部１４０を設けることが好ましい。これにより、粘着剤の第２部分３０２を塗布する際に、突出部１４４が邪魔になってしまうことを抑制することができる。これにより、便座１０の製造性をより向上させることができる。
【００８０】
図８は、実施形態に係る便座の変形例を模式的に表す平面図である。  
図８に表したように、この例では、内周側の下側位置決め面１３２が、複数の突出部１４０を有するとともに、外周側の下側位置決め面１３４が、複数の突出部１４２を有する。複数の突出部１４０は、下板１００の内周縁に沿うように並べて設けられる。複数の突出部１４２は、下板１００の外周縁に沿うように並べて設けられる。
【００８１】
このように、上側位置決め面２２６及び下側位置決め面１３２の一方は、複数の突出部を有してもよい。また、複数の突出部を設ける場合には、例えば、上側位置決め面２２６及び下側位置決め面１３２の双方に突出部を設けてもよい。
【００８２】
複数の突出部１４０、１４２は、例えば、半球状である。このように、半球状の複数の突出部１４０、１４２を設けることにより、上板２００と下板１００との位置ズレを抑制しつつ、上板２００と下板１００とをより適切に接着することができる。
【００８３】
但し、突出部の形状は、上記に限定されるものではない。突出部の形状は、上側位置決め面２２６と下側位置決め面１３２との間の距離を適切に決めることができる任意の形状でよい。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や便座１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
２ トイレ装置、  ４ 便座装置、  ６ 便器、  １０ 便座、  １２ 便蓋、  １４ 本体部、  １００ 下板、  １００ａ 開口部、  １１０ 側端面、  １１２ 側端面、  １２０ 底面、  １３０ 上面、  １３２ 下側位置決め面、  １３４ 下側位置決め面、  １４０ 突出部、  １４０ａ 先端、  １４２ 突出部、  １４２ａ 先端、  １４４ 突出部、  ２００ 上板、  ２００ａ 開口部、  ２１０ 外表面、  ２１２ 湾曲部、  ２１２ａ 下端、  ２２０ 内表面、  ２２２ 端部、  ２２４ 対向部、  ２２６ 上側位置決め面、  ２３０ 底面、  ２３２ 底面、  ２４０ 端部、  ２４２ 対向部、  ２４４ 上側位置決め面、  ３００ 接着部、  ３０１ 第１部分、  ３０２ 第２部分、  ３２０ 接着部、  ３２３ 第３部分、  ３２４ 第４部分
【図１】
2020054690.tif 000003
【図２】
2020054690.tif 000004
【図３】
2020054690.tif 000005
【図４】
2020054690.tif 000006
【図５】
2020054690.tif 000007
【図６】
2020054690.tif 000008
【図７】
2020054690.tif 000009
【図８】
2020054690.tif 000010